(57)【特許請求の範囲】
【請求項１】
弾性部材を略Ｕ字状に折曲げた可動接片を受部に載置した開閉接触部をスイッチ本体に内蔵し、透光性部材からなるボタンを前記スイッチ本体に左右揺動自在に係止し、前記スイッチ本体の略中心部に発光体を配設するとともに前記開閉接触部を前記スイッチ本体の側面に配列し、前記開閉接触部から前記ボタン及び前記フィルタ内部へのアーク生成物の飛散を防止するとともに前記発光体の光を前記ボタン上面に向けて反射する遮蔽部を前記発光体近傍に設け、しかも前記可動接片の曲げ弾性力を付勢するとともに前記可動接片の自由端近傍を弾発的に開閉する突片を前記ボタンの側面部に垂設することにより前記ボタン上面に前記突片の陰影が投影されないことを特徴とする照光傾動スイッチ。
【請求項２】
前記ボタンの内部に透光性部材からなるフィルタを重設し、該フィルタに前記突片を設けたことを特徴とする請求項１記載の照光傾動スイッチ。
【発明の詳細な説明】
【０００１】
【発明の属する技術分野】
本発明は、電気・電子機器類に使用される照光傾動スイッチに関する。
【０００２】
【従来の技術】
図７及び図８は従来の照光傾動スイッチの外観平面図である。
これら従来の照光傾動スイッチにあっては、照光面にボタン内部の構成による陰影が鮮明に現われてしまうという欠点があった。また、ボタン表面には発光体の目隠しのためにローレットが施されているためボタンに文字を表示する際、良いデザインを得ることができなかった。
【０００３】
【発明が解決しようとする課題】
図１０はこうしたボタンの照光ムラを改善した従来の照光傾動スイッチであるが、陰影をださないためにはボタン１０１と転換子１２０に分割して構成する必要があるため、部品点数が増えてしまうという課題があった。
本発明はこうした問題を解決し、安価で鮮やかな照光面を有する照光傾動スイッチを提供する目的で発明されたものである。
【０００４】
【課題を解決するための手段】
弾性部材を略Ｕ字状に折曲げた可動接片を受部に載置した開閉接触部をスイッチ本体に内蔵し、透光性部材からなるボタンを前記スイッチ本体に左右揺動自在に係止し、前記スイッチ本体の略中心部に発光体を配設するとともに前記開閉接触部を前記スイッチ本体の側面に配列し、開閉接触部からボタン及びフィルタ内部へのアーク生成物の飛散を防止するとともに発光体の光を前記ボタン上面に向けて反射する遮蔽部を発光体近傍に設け、しかも前記可動接片の曲げ弾性力を付勢するとともに前記可動接片の自由端近傍を弾発的に開閉する突片を前記ボタンの側面部に垂設する。
またボタンの内部に透光性部材からなるフィルタを重設するとともに該フィルタに前記突片を設ける。
【０００５】
【発明の実施の形態】
可動接片をＵ字状に形成した応力を接触力に付勢するとともに開閉接触部とボタンの突片をスイッチ本体内の側壁面に配列することにより照光部に陰影のない鮮やかな照光面を有する安価な照光傾動スイッチを提供することができる。
また、ボタンの内部にフィルタを重設し、このフィルタに前記突片を設け、さらに開閉接触部からボタン及びフィルタ内部へのアーク生成物の飛散を防止するとともに発光体の光を前記ボタン上面に向けて反射する遮蔽部を発光体近傍に設けることにより、長期間使用しても鮮やかで明るい照光面を維持することができる。
【０００６】
【実施例】
以下、本実施例について図面を参照しながら詳細に説明する。
図１は本発明の照光傾動スイッチの第１実施例の開閉接触部を表す正面断面図であり、図２はその略中央断面図である。さらに、図３はその側面断面図であり、図４はその分解斜視図である。
【０００７】
これらの図において、スイッチ本体の筐体部であるハウジング１６の一方の側面には、固定接点９が取付けられた接触端子８と受部１１を形成した共通端子１０が加締めて固定され、燐青銅等弾性部材をＵ字状に折り曲げた可動接片４が、その一端に可動接点７を取り付けた状態で一部を折り曲げて形成した凹部６を前記受部１１に当接した状態で載置され開閉接触部を構成している。
可動接片４のＵ字状に折り曲げられた一方の自由端は上方に開放され、後述の突片２により押圧され接触力が付勢される。
【０００８】
そして、ハウジング１６の中央部には中間壁１９が形成されるとともに発光体１２の端子が組込まれる端子孔２０が外部まで貫通形成され、発光体１２がスイッチ本体の略中央部に配置され、中間壁１９と発光体１２の間に遮蔽板７０が配置されている。
本実施例ではＬＥＤが発光体１２として使用されている。
そして、このＬＥＤの端子はスイッチ本体外部に一旦導出された後、前記開閉接触部に対向してハウジング１６のもう一方の側面に固定された端子１３に突起部１４を以って加締めて固定される。
【０００９】
一方、ボタン１には傾動軸３が対向形成され、ハウジング１６に開けられた横穴１８に前記傾動軸３を係止して左右傾動自在に配設される。そしてボタン１の傾動軸３の下方に突片２が垂設され、前述のようにＵ字状に折り曲げられた可動接片４の自由端近傍を押圧して接触力を付勢している。
【００１０】
このように構成した照光傾動スイッチは開閉接触部とそれを駆動するボタン１の突片２がスイッチ本体の側壁に沿って配設されるため、従来の照光傾動スイッチに見られるような発光体からの光により陰影をつくるボタン内部の突起部等がないことからボタン１表面の照光状態が均一で、しかも鮮やかな照光面を構成することができるという特徴を有している。そして遮蔽板７０を発光体１２の下面に配設したので、発光体１２の反射効果を持つとともに開閉接触部から開閉の度に発生するカーボン等のアーク生成物がボタン１や後述するフィルタ１５に飛散して煤けてしまうことを防止し、長期間に渡り鮮明な照光面を維持することができるという効果を併せ持っている。
【００１１】
また１５は着色透光部材等で形成されたフィルタである。ボタン１の内部に透光性部材からなるフィルタ１５を重設したのでボタン１を透明部材で構成しても発光体１２がそのまま外部から見えることがないため、ボタン１へのローレット加工の必要がなく、すっきりとした外観を形成することができる。
図９はそのフィルタ１５上面に文字を表示した本発明の照光傾動スイッチの上面図である。図７や図８の従来の照光傾動スイッチに比べローレットや陰影が表示の邪魔をしない優れたデザインを得ることができる。
【００１２】
図５は本発明の照光傾動スイッチの他の実施例を表す分解斜視図である。
本実施例は電源用スイッチとして２極を構成する開閉接触部間に発光体としてネオン球３２が配設されている。
【００１３】
ネオン球３２を発光体として使用する場合、輝度の関係でボタン２１には透明部材が使用され、その内面にはローレット加工が施されるが、本実施例では開閉接触機構部をハウジング３６の側面一杯に寄せて配置し、突片２２をボタン２１の両端側面に形成することにより、ボタン２１内上面のほぼ全面に均一にローレットを加工することができるので、広範囲の照光面が得られるとともにボタン２１内部の陰影が無いデザイン的にも優れた照光傾動スイッチを得ることができる。
【００１４】
図６は本発明の照光傾動スイッチの第２実施例を表す分解斜視図である。
第１実施例と比べ、突片４２をフィルタ５５に設けるとともに、遮蔽板６０をＬＥＤ５２の下面に配設した事例である。
【００１５】
突片４２をフィルタ５５に配設することにより、ボタン４１に対するフィルタ５５の幅を広く構成することができ、併せてボタン４１の内部にＬＥＤ５２からの光によりボタン４１の表面に陰影をつくる突起部などがないことから、ボタン４１の表面の照光状態が均一で鮮やかな照光面を構成することができる。
【００１６】
そして遮蔽板６０をＬＥＤ５２の下面に配設したので、ＬＥＤ５２の反射効果を持つとともに開閉接触部から開閉の度に発生するカーボン等のアーク生成物がボタン４１やフィルタ５５に飛散して煤けてしまうことを防止し、長期間に渡り鮮明な照光面を維持することができるという効果を併せ持っている。
【００１７】
なお、本実施例では遮蔽板６０、７０、８０を別部品として構成したがハウジング１６、３６、５６と一体的に形成してもよい。
更に、遮蔽板６０、７０、８０はボタン１、２１、４１又はフィルタ１５、５５の下面部に嵌着させることも可能であり、その配設手段は特に限定せず任意の手段でよい。
【００１８】
また、本実施例の傾動軸３及び傾動軸４３はそれぞれフィルタ１５及びフィルタ５５に設けることも可能であり、この場合ボタン１及びボタン４１は上方から着脱可能となり、文字表示フィルム（図示せず）等の交換が容易となる。
また、発光体１２の形態や配設数についても限定せず、多色発光や複数配置とすることができる。
【００１９】
【発明の効果】
以上、詳細に説明したように、本発明によれば次のような効果を奏することができる。
（１）開閉接触部とそれを駆動するボタンの突片をスイッチ本体の側面に沿って配設したので、ボタン内部に発光体からの光により陰影をつくる突起部などがないことから、ボタン表面の照光状態が均一で鮮やかな照光面を構成することができる。
（２）ボタンの内部に透光性部材からなるフィルタを重設し、該フィルタに突片を設けたので、ボタンに対するフィルタ幅を広く構成することができるため、照光面をより広く構成することができる。
（３）ボタンの内部に透光性部材からなるフィルタを重設し突片をフィルタに設けたので、透明ボタンを使用する際も発光体を目隠しする必要がないので、ボタンにローレット加工を施す必要も無く、ボタンへの文字表示が可能になるなど優れたデザインの照光傾動スイッチを提供することができる。
（４）開閉接触部からボタン及びフィルタ内部へのアーク生成物の飛散を防止するとともに発光体の光をボタン上面に向けて反射する遮蔽部を発光体近傍に設けたので、開閉接触部から開閉の度に発生するカーボン等のアーク生成物がボタンやフィルタ内部に飛散して煤けてしまうことを防止し、長期間に渡り鮮明な照光状態を維持することができる。
【図面の簡単な説明】
【図１】本発明の照光傾動スイッチの第１実施例の開閉接触部を表す正面断面図である。
【図２】本発明の照光傾動スイッチの第１実施例を表す略中央断面図である。
【図３】本発明の照光傾動スイッチの第１実施例を表す側面断面図である。
【図４】本発明の照光傾動スイッチの第１実施例を表す分解斜視図である。
【図５】本発明の照光傾動スイッチの他の実施例を表す分解斜視図である。
【図６】本発明の照光傾動スイッチの第２実施例を表す分解斜視図である。
【図７】従来の照光傾動スイッチの外観平面図である。
【図８】他の従来の照光傾動スイッチの外観平面図である。
【図９】本発明の照光傾動スイッチの外観上面図である。
【図１０】ボタンの照光ムラを改善した従来の照光傾動スイッチの分解斜視図である。
【符号の説明】
１、２１、４１、１０１  ボタン
２、２２、４２  突片
３、２３、４３  傾動軸
４、２４、４４、１０４  可動接片
５、２５、４５  折曲部
６、２６、４６  凹部
７、２７、４７  可動接点
８、２８、４８  接触端子
９、２９、４９  固定接点
１０、３０、５０  共通端子
１１、３１  受部
１２、１１２  発光体
１３、５３、１２３  端子
１４、３４、５４  突起部
１５、５５  フィルタ
１６、３６、５６、１１６  ハウジング
１７、３７、５７  取付バネ
１８、３８、５８  横穴
１９、３９、５９  中間壁
２０  端子孔
３２  ネオン球
５２  ＬＥＤ
６０、７０、８０  遮蔽板
１１７  ケース
１２０  転換子
１２１  滑動棒
１２２  コイルバネ
【図１】
0004311697.tif 000002
【図２】
0004311697.tif 000003
【図３】
0004311697.tif 000004
【図４】
0004311697.tif 000005
【図５】
0004311697.tif 000006
【図６】
0004311697.tif 000007
【図７】
0004311697.tif 000008
【図８】
0004311697.tif 000009
【図９】
0004311697.tif 000010
【図１０】
0004311697.tif 000011